(57)【要約】      （修正有）【課題】液の塗布機能に加えて塗布容器がマッサージ機能を発揮する。【解決手段】ボトルにはその上に連結座が設けられ、その上部に転動可能ボール用ボールシートを有する。変位移動手段およびストップ手段が連結座とボールシートとの間に設けられる。変位移動手段は、ボールシートおよび連結座に対して変位移動後の第１相対位置および変位移動後の第２相対位置を与える。連結座およびボールシートが第１相対位置におかれると、ストップ手段は閉鎖状態を形成する。そして、ボトル内の塗布液のボールからの流出が防止され、転動可能ボールが皮膚と接触することによりマッサージ機能が達成される。連結座およびボールシートが変位移動手段により第２相対位置におかれるとストップ手段は開放される。【選択図】図６
0003128694.tif 000002
【実用新案登録請求の範囲】
【請求項１】
塗布液用容器の改良構造であって、
開口部を有し、中に塗布液を収容するボトルと、
前記ボトルの前記開口部と連結する連結座と、
前記連結座と連結するボールシートであって、その上にボール受け部を有し、前記連結座と前記ボール受け部とを連通する通路を有するボールシートと、
転動に適合した態様で前記ボール受け部内に受け止められるボールであって、前記ボールの半分を超える部分が前記ボール受け部に受け止められ、前記ボールの残りの部分が前記ボール受け部外に露出されるボールと、
前記連結座および前記ボールシート上に形成された変位移動手段であって、前記連結座および前記ボールシートは、それらの間に変位移動後の第１相対位置を形成し、そして、動作中は変位移動後の第２相対位置を形成する変位移動手段と、
前記ボールシートの前記通路の１つに設けられるストップ手段を具備し、
前記連結座および前記ボールシートが変位移動後の前記第１相対位置におかれる場合前記ストップ手段は閉鎖状態を形成し、その際前記ボトル内の前記塗布液が前記ボールから流出するのが防止され、前記ボールの皮膚との接触によりマッサージ機能が得られ、また、前記連結座および前記ボールシートが変位移動後の前記第２相対位置におかれる場合前記ストップ手段は開放され、こうして、前記ボトル内の前記塗布液は前記連結座を通って前記ボールシートの頂部における前記ボールのところに流れ、そして、外部に流れ出し、それによって塗布機能が得られる、塗布液用容器の改良構造。
【請求項２】
前記構造は、さらに、位置制限手段を具備し、該位置制限手段は、前記連結座と前記ボールシートとの間に設けられ、前記第１相対位置の、前記第２相対位置からの距離の差を制限するために使用される、請求項１に記載の塗布液用容器の改良構造。
【請求項３】
前記構造は、さらに前記連結座と前記ボールシートとの間に設けられる位置決め手段を具備し、これにより、前記変位移動手段の作動により、前記連結座および前記ボールシートが前記第２相対位置におかれると、前記連結座および前記ボールシートは前記第２相対位置に保持される、請求項１に記載の塗布液用容器の改良構造。
【請求項４】
前記変位移動手段は、前記連結座の外壁に設けた上方傾斜リブおよび前記ボールシートの内壁に設けた下方傾斜リブを含み、前記上方傾斜リブは底部傾斜面を有し、前記下方傾斜リブは頂部傾斜面を有し、そして、動作中前記底部傾斜面および前記頂部傾斜面は互いに接触するように移動するものであり、前記連結座および前記ボールシートは前記第１および前記第２相対位置を取る、請求項１に記載の塗布液用容器の改良構造。
【請求項５】
前記ボトルはその上端に、前記ボトルを前記連結座と連結するために前記連結座の内ねじと螺合連結するためのねじ部を有する、請求項４に記載の塗布液用容器の改良構造。
【請求項６】
前記連結座はベースを有し、前記内ねじは前記ベースの内壁に設けられ、前記ベースはその上に突出上方座部を有し、前記突出上方座部の上には前記突出上方座部の直径より小さい直径を有するノズルが形成され、前記ボールシートはその底部に、前記連結座の前記突出上方座部上へ滑り込む滑り込みカバーを有し、前記変位移動手段を変位移動させるために、前記滑り込みカバーを前記突出上方座部に対して相対的に回転させると、前記第１および第２相対位置が形成される、請求項５に記載の塗布液用容器の改良構造。
【請求項７】
前記変位移動手段の前記上方傾斜リブは、前記連結座の前記突出上方座部の外壁に設けられており、前記下方傾斜リブは、前記ボールシートの前記滑り込みカバーの内壁に設けられている、請求項６に記載の塗布液用容器の改良構造。
【請求項８】
前記滑り込みカバーにはさらにその内壁に、２個の位置決めブロックが設けられており、それに相応して、前記突出上方座部には一対の位置決め切欠きが設けられており、前記ボールシートおよび前記連結座が回転し前記第２相対位置が形成されると、前記位置決めブロックは前記位置決め切欠き内に正確に係合し、前記ボールシートおよび前記連結座のための位置決め作用が得られ、それにより前記第２相対位置に保持される、請求項７に記載の塗布液用容器の改良構造。
【請求項９】
前記ボールシート上の前記ボール受け部はホッパー型であり、ホッパー型の前記ボール受け部は、前記ボールの底面を支持するために対称形に割り当てられた一対の支持突起を有する、請求項８に記載の塗布液用容器の改良構造。
【請求項１０】
前記ボールシートは、前記ボール受け部と滑り込みカバーとの間に連結部分を有し、前記連結部分内に前記通路が形成されており、前記通路は第１通路および第２通路を含み、前記第１通路は下方位置に配置され、一方第２通路は上方位置に配置され、前記第１通路の半径は前記連結座のノズルの半径より大きく、前記第１通路はその底部にストップ円環を備え、前記ノズルの上端のストップ円環とともにストップ作用を形成し、前記連結座に対して相対的な前記ボールシートの変位移動ストロークを制限し、それにより位置決め制限動作を形成する、請求項９に記載の塗布液用容器の改良構造。
【請求項１１】
前記第２通路の半径は、前記連結座の前記ノズル上に設けられたストップポストの半径より大きく、前記第２通路内に、内径が前記ストップポストの半径より小さい柔軟性ワッシャーが設けられており、前記ストップ手段は前記第２通路、前記柔軟性ワッシャー、および前記ストップポストにより形成され、それにより、前記変位移動手段が前記第１相対位置に位置すると、前記ストップポストは前記第２通路内に延伸し、前記柔軟性ワッシャーを前記ストップポストと接触させ、こうして、第２通路はシールされる、請求項１０に記載の塗布液用容器の改良構造。
【請求項１２】
前記ストップポストおよび前記ノズルは、その間に塗布液を通すための複数の貫通孔を形成する、請求項１０に記載の塗布液用容器の改良構造。
【請求項１３】
前記構造は、前記ボールシート、前記ボール、および前記連結座を覆うためのキャップを具備する、請求項１に記載の塗布液用容器の改良構造。
【請求項１４】
前記キャップにはその頂部に圧力円環が設けられており、前記キャップが前記ボトルにかぶせられると、前記圧力円環は前記ボールと接触し、前記ボールを位置決めし、前記ボールが転動するのを防止する、請求項１３に記載の塗布液用容器の改良構造。
【考案の詳細な説明】
【技術分野】
【０００１】
本考案は、塗布液用容器の改良構造に関し、特に乳剤、液体薬剤、および痛み等の除去のための塗布液体等の塗布液に使用する容器の改良構造に関し、この容器は、塗布液に使用しないときは、マッサージ用具として使用することが可能である。
【背景技術】
【０００２】
痛みなどを除去するための液体塗布用容器など市販されている塗布液用容器はほとんど塗布液を収容するボトルを有し、このボトルはその上方に、塗布液がゆっくり流れ出るようにすることができかつ皮膚との接触に適した塗布ヘッドを備え、ボトルの上下をひっくり返して把持押圧すると、塗布液はボトルの内部から塗布ヘッドに向かって流れることが可能である。
【考案の開示】
【考案が解決しようとする課題】
【０００３】
既知の構造を有する塗布ヘッドはボールシートを有し、塗布液がボールから流れ、皮膚表面に快適に塗布可能であるように転動可能なボールを塗布ヘッドの端部に備える。このような従来の塗布容器は塗布容器としてのみ使用可能であり他の機能は有しない。従って、塗布容器の構造設計により液の塗布機能に加えて塗布容器がマッサージ機能を発揮し得るか否かが、本考案における議論の主要なカテゴリーである。
【課題を解決するための手段】
【０００４】
本考案は、塗布容器の改良構造を提供し、その塗布容器は、塗布液を収容するボトルを含み、そのボトルはその上に、転動可能なボール用のボールシートを頂部に有する連結座を備える。連結座とボールシートの間には、変位移動手段およびストップ手段が設けられる。変位移動手段は、ボールシートおよび連結座に対して変位移動後の第１相対位置および変位移動後の第２相対位置を与える。連結座およびボールシートが、第１相対位置にある場合は、ストップ手段は閉鎖状態を形成し、そのときボトル内の塗布液は、転動可能なボールが皮膚と接触することによりボールからの流出が防止され、マッサージ機能が取得できる。変位移動手段により、連結座およびボールシートが第２相対位置にあるとストップ手段は開放され、それによりボトル内の塗布液は連結座からボールシートの上部にあるボールに流れ、そして、外部に流れ出し、それによって塗布機能が得られる。
【０００５】
本考案は、マッサージ機能を有する塗布容器を提供するものであり、その塗布容器においては、連結座は突出上方座部を有し、ボールシートはその底部に滑り込みカバーを有し、その滑り込みカバーは、突出上方座部上での回転を許容するよう、突出上方座部へ滑り込むようにするのである。突出上方座部の外壁および滑り込みカバーの内壁はそれぞれ上方傾斜リブおよび下方傾斜リブを備え、突出上部カバーの上方傾斜リブは底部傾斜面を有し、一方滑り込みカバーの下方傾斜リブは上記底部傾斜面と接触するための上部傾斜面を有する。この上部傾斜面および底部傾斜面の接触および変位移動により連結座およびボールシートは、変位移動後の上記第１および第２相対位置を得ることが可能である。
【考案の効果】
【０００６】
本考案において提供されるマッサージ機能を有する塗布容器はさらに連結座およびボールシート間に設けられる位置制限手段を含み、その手段は、連結座のボールシートからの緩みや落下を防止するために第１相対位置の第２相対位置からの距離の差を制限するために使用される。
【０００７】
さらに、本考案は互いに回転可能な連結座とボールシートとの間に位置決め手段を備え、この位置決め手段は、液の塗布作用をするようにボールシートの位置決めをするためにボールシートを回転させ、ストップ手段を開放させ、ボールシートが液を塗布する場所に接触したときに生じる圧力によりボールシートが下降するのを防止することが可能である。
【考案を実施するための最良の形態】
【０００８】
添付図面を参照して本考案の好ましい実施例の詳細な説明を読むと本考案の構造および動作機能が明らかになる。
【０００９】
図１から図４を参照すると、本考案の塗布容器は、塗布液を収容するボトル１０を有し、ボトル１０の上には連結座２０が設けられており、この連結座２０は、その頂部に転動可能なボール３０用のボールシート４０を有する。キャップ５０は、ボールシート４０および連結座２０を覆う。
【００１０】
ボトル１０はその上端部に、ボトル１０の頂部の開口部１２を覆うために連結座２０の内ねじ２２と螺合連結するためのねじ部１１を有する。図８から図１０を参照すると、内ねじ２２は、連結座２０のベース２１の内壁に設けられ、一方、ベース２１は、その外壁に設けられた外ねじ２３をさらに有する。ベース２１は、直径がさらに小さい突出上方座部２４を有し、突出上方座部２４はその上に、一対の位置決め切欠き２４１(図９に示す）を備え、突出上方座部２４はその上に、さらに直径の小さいノズル２５が形成され、その上にはストップポスト２６が設けられる。ストップポスト２６およびノズル２５はその間に、塗布液の通路として機能する複数の貫通孔２７が形成される。突出上方座部２４の外壁には上方傾斜リブ２８が形成され、上方傾斜リブ２８は、底部傾斜面２８１を有する（図１０参照）。ノズル２５は、その上端部にストップ円環２９を有する。
【００１１】
図７を参照すると、ボールシート４０はその底部に、連結座２０の突出上方座部２４の上でスリップする滑り込みカバー４１を有し、滑り込みカバー４１はその内壁に下方傾斜リブ４２を備え、下方傾斜リブ４２は上部傾斜面４２１を有し、上部傾斜面４２１は、突出上方座部２４の上方傾斜リブ２８上において底部傾斜面２８１と接触することができ(図５Ａ参照）、変位移動手段は、上方傾斜リブ２８および下方傾斜リブ４２から形成することが可能である。滑り込みカバー４１はさらにその内壁に、突出上方座部２４の一対の位置決め切欠き２４１とともに位置決め手段を形成する２つの柔軟な位置決めブロック４４が設けられる。
【００１２】
ボールシート４０は、ホッパー型ボール受け部４３を有し、ボール受け部４３の内部はボール３０の半分以上を保持することができ、その結果ボール３０は、ボールの残りの部分がボール受け部外に露出した状態で回転するようにボール受け部４３内に受け止められる。ホッパー型ボール受け部４３は、ボール３０の底部を支え、ボールがボール受け部４３にくっ付かないようにするために対称形に割り当てられた一対の支持突起４５を有する。これは図５に示す。
【００１３】
ボールシート４０は、ボール受け部４３と滑り込みカバー４１との間に連結部分４６を有する。連結部分４６は、第１通路４７および第２通路４８を有する。第１通路４７は下部に配置され、第２通路４８は上部に配置される。第１通路の半径は、連結座２０のノズル２５の半径より大きく、第１通路４７にはその底部に、連結座２０に対するボールシート４０の変位移動ストロークを制限するために、ノズル２５上端のストップ円環２９とともにストップ作用を形成するストップ円環４７１が設けられる（図５および図６参照）。第２通路４８の半径は、連結座２０のストップポスト２６の半径より大きい。第２通路にはその内側に、ストップポスト２６の半径より小さい内部半径の柔軟性ワッシャー４８１が設けられる。ストップ手段は、第２通路４８、柔軟性ワッシャー４８１、およびストップポスト２６により形成される。
【００１４】
図４を参照すると、キャップ５０にはその内壁上に、連結座２０のベース２１上の外ねじ２３と螺合連結可能なねじ５１が設けられる。それにより、キャップ５０は、ボールシート４０、ボール３０、および連結座４０をシールするためにボトル１０にかぶせられる。なお、キャップ５０にはその頂部に圧力円環５２が設けられる。ボトル１０にかぶせられると、圧力円環５２はボール３０と接触し、ボールの位置決めを行い、ボールが転動するのを防止する。
【００１５】
本考案を使用する際、図５に示すようにボールシート４０、ボール３０、および連結座２０を露出させるために、キャップ５０は取り外すことが可能である。また、図５Ａを参照すると、変位移動手段を形成する上方傾斜リブ２８および下方傾斜リブ４２それぞれの底部傾斜面２８１および上部傾斜面４２１は完全接触位置にあり、これが、連結座２０およびボールシート４０間の変位移動後の第１相対位置を形成する。すなわち、連結座２０のベース２１の上面は、ボールシート４０の滑り込みカバー４１の底面と接触する。このとき、連結座２０のストップポスト２６は、ボールシート４０の第２通路４８の内部へ延伸して、柔軟性ワッシャー４８１がストップポスト２６と接触するようにする。こうして、第２通路４８はシールされ、ボトル１０内部の塗布液が流出するのを防止する。
【００１６】
連結座２０に対して相対的に回転するよう、ボールシート４０に回転力が及ぼされる場合、変位移動手段の上方傾斜リブ２８および下方傾斜リブ４２が、互いに離間する動作を開始し、その結果、ボールシート４０が連結座２０に対して持ち上げられ、図６に示すように変位移動後の第２相対位置を形成する。すなわち、連結座２０のベース２１の上面は、ボールシート４０の滑り込みカバー４１の底面から隙間ｔをおいたところに保持される。このとき、ストップポスト２６は、第２通路４８外に引き出されており、第２通路の開放が行われる。それにより、図６の矢印で示すように、塗布液は、第２通路からボール３０の底部に流れることが可能である。図１１に示すように、ボール３０は塗布対象物６０（皮膚など）に接触し、それにより、ボール３０は支持突起４５に接触し、塗布液は、ボール３０の転動によりボール３０およびボール受け部４３間の隙間を通って流れ、
塗布対象物体６０の表面に流れることができる。
【００１７】
変位移動後第２相対位置に位置すると、連結座２０のノズル２５上のストップ円環２９は第１通路４７のストップ円環４７１に接近し連結座２０のボールシート４０からの離間を防止し、連結座２０のボールシート４０からの最大変位移動を制限する。位置制限手段は、連結座２０のノズル２５上のストップ円環２９、および第１通路４７のストップ円環４７１により形成される。また、２個の位置決め手段の柔軟性位置決めブロック４４は、位置決め切欠き２４１内に正確に係合し、それにより連結座２０およびボールシート４０に対する位置決め作用が得られる。
【００１８】
塗布液は、ボトル１０から、連結座２０のベース２１、ノズル２５、およびストップポスト２６の周囲の貫通孔２７を通って流れ、ボールシート４０の第１通路４７および第２通路４８内にゆっくり流れ込み、その後塗布液の便宜上転動可能なボール３０によりボール受け部４３外に運び出される。
【００１９】
ボールシート４０の滑り込みカバー４１内の位置決めブロック４４を、連結座２０の突出上方座部２４の外面と密接させるものである。その機能は、ボールシート４０を持ち上げるためにボールシートに対しての相対的な連結座の相互間の回転に際して、減速力を付与することである。このことを行うのは、塗布容器保管中、または、非使用時に行われる塗布容器に対する振動によりそのようにボールシートに対しての相対的な連結座の相互間の回転をさせる際、ストップの不都合な開放を防止するためである。また、ボールシート４０および連結座２０が回転して第２相対位置を形成すると、位置決めブロック４４が、位置決め切欠き２４１内に正確に係合し位置が決まる。また、ボール３０が塗布対象物に接触し圧力を与える際、ボールシート４０は連結座２０に対して相対的に下降するのが防止され、それにより塗布液の便宜上ストップ手段は開放状態に保持される。
【００２０】
本考案による塗布溶液をマッサージ用具として使用する場合は、図１２に示すように、ボールシート４０および連結座２０が第１相対位置にあり、一方ストップ手段は閉鎖状態にある。それにより、ボトル１０内の塗布液はボール３０を通って流れ出ることはない。ボール３０は転動自在であることにより、マッサージ対象物７０の表面に接触するのでマッサージ機能が達成される。
【産業上の利用可能性】
【００２１】
本考案による塗布容器は、明らかに従来技術に比較してマッサージ機能が附加されており、従って特許性を有するのである。ここに挙げた実施形態は単に本考案を例示的に説明するためだけであり、本考案の範囲にいかなる制限も加えるものではない。本考案の精神から逸脱することなく、他の種類の変位移動手段またはストップ手段などの種々の変化実施形態または変更も規定された請求範囲に包含されることは当業者には明らかである。
【図面の簡単な説明】
【００２２】
【図１】本考案の分解透視図である。
【図２】本考案において部分的に組み立てた際の透視図である。
【図３】本考案における組み立て後の透視図である。
【図４】本考案における組み立て後の断面図である。
【図５】本考案においてカバーを外した際の断面図である。
【図５Ａ】本考案において変位移動手段が変位移動後の第１相対位置を形成する際          に連結座、ボールシート、およびボールについて示す拡大断面図である。
【図６】図５に似ているが、ボールシートが持ち上げられている際の図である。
【図６Ａ】本考案において変位移動手段が、変位移動後の第２相対位置を形成する際に連結座、ボールシート、およびボールについて示す拡大断面図である。
【図７】本考案のボールシートの断面図である。
【図８】本考案の連結座の断面図である。
【図９】本考案の連結座の上面図である。
【図１０】本考案の連結座の平面図である。
【図１１】本考案が液塗布機能に使用されている際の平面略図である。
【図１２】本考案がマッサージ機能に使用されている際の概略平面図である。
【符号の説明】
【００２３】
１０    ボトル
１１    ねじ部
１２    開口部
２０    連結座
２１    ベース
２２    内ねじ
２３    外ねじ
２４    突出上方座部
２５    ノズル
２６    ストップポスト
２７    貫通孔
２８    上方傾斜リブ
２９    ストップ円環
３０    ボール
４０    ボールシート
４１    滑り込みカバー
４２    下方傾斜リブ
４３    ボール受け部
４４    位置決めブロック
４５    支持突起
４６    連結部分
４７    第１通路
４８    第２通路
５０    キャップ
５１    ねじ
５２    圧力円環
６０    塗布対象物
７０    マッサージ対象物
２４１    切欠き
２８１    底部傾斜面
４２１    上部傾斜面
４７１    ストップ円環
４８１    柔軟性ワッシャー
ｔ    隙間
【図１】
0003128694.tif 000003
【図２】
0003128694.tif 000004
【図３】
0003128694.tif 000005
【図４】
0003128694.tif 000006
【図５】
0003128694.tif 000007
【図５Ａ】
0003128694.tif 000008
【図６】
0003128694.tif 000009
【図６Ａ】
0003128694.tif 000010
【図７】
0003128694.tif 000011
【図８】
0003128694.tif 000012
【図９】
0003128694.tif 000013
【図１０】
0003128694.tif 000014
【図１１】
0003128694.tif 000015
【図１２】
0003128694.tif 000016